(57)【要約】【課題】消去性のある固形描画材であって、描画後消去性が良好で、しかも長期間経過しても、当初の消去性を維持する固形描画材を提供する。【解決手段】少なくとも形成材と脂肪酸の誘導体と着色材とからなり、かつ前記素材の他にポリオキシプロピレン誘導体を配合することを特徴とし、ポリオキシプロピレン誘導体として１〜６５重量％の範囲で、ポリプロピレングリコールが好適に用いられ、脂肪酸の誘導体として１０〜４５重量％の範囲で、脂肪酸アミドが好適に用いられる。【特許請求の範囲】
【請求項１】
少なくとも形成材と脂肪酸の誘導体と着色材とからなり、かつ前記素材の他にポリオキシプロピレン誘導体を配合したことを特徴とする固形描画材。
【請求項２】
ポリオキシプロピレン誘導体が、ポリプロピレングリコールであることを特徴とする請求項１記載の固形描画材。
【請求項３】
脂肪酸の誘導体が脂肪酸アミドであることを特徴とする請求項１又は２記載の固形描画材。
【発明の詳細な説明】
【技術分野】
【０００１】
本発明は、消去性に優れた固形描画材に関するものである。
【背景技術】
【０００２】
従来、マーカーとして液状の筆記具の代わりに、固形の描画材が検討されている。固形にすると、揮発性の溶剤を含まないことから、堅牢な容器を必要とせず、取り扱いが容易であるなどの利点を有しており、その材質としてはワックスや顔料などの他に、脂肪酸の誘導体を配合するものが知られている（特許文献１参照）。脂肪酸の誘導体を用いることにより、ホーロー板やプラスチック板上などにおいて描画性が良好で、しかも消去性に優れるという特徴を有するのである。
【特許文献１】特開平８−１１３７５３号公報
【発明の開示】
【発明が解決しようとする課題】
【０００３】
しかしながら、上記材料を用いて紙面上に描画した場合には消去性が十分ではなく、さらに描画したあとに時間の経過に伴って消去性が悪くなるという問題がある。例えば、固形描画材をラインマーカーとして用いた場合、一定期間後、マーカーを付した部分を消去したいときなどにはきわめて不都合となる。この理由は定かでないが、時間の経過と共に、脂肪酸の誘導体が持つ剥離効果（滑材効果）が衰え、他材料が紙面に少しずつ染み込むか、あるいはワックスの定着度が強くなってしまうのが原因と思われる。
【課題を解決するための手段】
【０００４】
本発明は、特に紙面上において消去性が優れると同時に、時間経過に伴って消去性が変化しない固形描画材に関するものであり、少なくとも形成材と脂肪酸の誘導体と着色材とからなり、かつ前記素材の他にポリオキシプロピレン誘導体を配合することを第１の要旨とする。
【０００５】
また、ポリオキシプロピレン誘導体がポリプロピレングリコールであることを第２の要旨とする。
【０００６】
さらに、脂肪酸の誘導体が脂肪酸アミドであることを第３の要旨とする。
【発明の効果】
【０００７】
本発明の固形描画材は、紙面上において描画後良好な消去性を有し、さらに長期間経過しても当初の消去性が変化することなく持続するという特徴を有する。
【発明を実施するための最良の形態】
【０００８】
本発明の固形描画材は、少なくとも形成材と脂肪酸の誘導体と着色材の他にポリオキシプロピレン誘導体を配合することにより、当初の消去性を確保するという目的を実現した。
【０００９】
次に、本発明の固形描画材について具体的に説明する。形成材は、描画材としての形状を保持するためのもので、例えばワックス、ゲル化剤、粘土などが挙げられる。ワックスとしては、従来公知のものであればいずれを用いてもよく、具体的にはカルナバワックス、木ろう、密ろう、マイクロクリスタリンワックス、モンタンワックス、キャンデリラワックス、低分子量ポリエチレン、パラフィンワックスなどが挙げられる。ゲル化剤としては、油溶性で従来公知のものを用いることができ、例えば脂肪酸類あるいはこれらの脂肪酸の金属塩、ジベンジリデンソルビトール類、トリベンジリデンソルビトール類、アミノ酸系油などが挙げられる。粘土鉱物としては、ベントナイト、モンモリロナイトなどが挙げられる。
【００１０】
脂肪酸の誘導体としては、脂肪酸アミドが好適に用いられ、画線の剥離性が向上して優れた消去性が得られる。脂肪酸の誘導体の使用量は、固形描画材全量に対して１０〜４５重量％の範囲にあることが好ましい。１０重量％以下では消去性に劣り、４５重量％以上では固形描画材として形成できない。
【００１１】
脂肪酸アミドとしては、飽和脂肪酸アミド、不飽和脂肪酸アミド、Ｎ−置換脂肪酸アミドなどがあり、例えばラウリン酸アミド、ステアリン酸アミド、アラキン酸アミド、ベヘン酸アミド、リグノセリン酸アミド、エライジン酸アミド、リノール酸アミド、エルカ酸アミド、オレイン酸アミド、やし脂肪酸モノエタノールアミド、ステアリン酸ジエタノールアミド、Ｎ−オレイルステアリン酸アミド、Ｎ−オレイルオレイン酸アミド、Ｎ−ステアリルオレイン酸アミド、Ｎ−ステアリルエルカ酸アミドなどが挙げられ、これらを単独又は組み合わせて用いるが、好ましくは消去性の経時変化がより小さくなるという点で、飽和脂肪酸アミドが好適である。
【００１２】
ポリオキシプロピレン誘導体は、グリコール類に含まれ、外見が無色液状で油溶性の有機溶剤であり、水には不溶で、その分子量は２００〜６０００の範囲にあり、特に１０００以上が好ましく、具体的にはポリプロピレングリコール、ポリオキシプロピレンブチルエーテル、ポリオキシプロピレングリセリルエーテル、ポリオキシプロピレンソルビットなどが挙げられ、特にはポリプロピレングリコールが消去性の維持が最も良好である点で好ましい。ポリオキシプロピレン誘導体を配合することにより、画線の消去性が紙面上において長期間維持される理由は定かでないが、要は油性の有機溶剤が脂肪酸の誘導体の経時変化を防止する働きを持っているということであり、油性の溶剤が剥離効果を有する脂肪酸誘導体を取りこんだ状態となって、その効果を保持するものと考えられる。ポリオキシプロピレン誘導体の配合量は、固形描画材全量に対し、１〜６５重量％の範囲が好ましい。１重量％以下では、消去性の時間劣化が生じてしまい、６５重量％以上では固形描画材としての形成が困難となる。
【００１３】
着色材としては、従来公知の顔料、染料であればいずれも用いることができ、例えば無機顔料、有機顔料、白色顔料、パール顔料、金属顔料、蛍光顔料などが挙げられ、単独又は組み合わせて用いる。具体的には、無機顔料としてカーボンブラック、鉄黒、群青、弁柄などが、また有機顔料としてはアゾ系顔料、インジゴ系顔料、フタロシアニン系顔料、キナクリドン系顔料、チオインジゴ系顔料などが挙げられる。白色顔料としては酸化チタン、酸化亜鉛、亜鉛華などが、また蛍光顔料としては昼光蛍光顔料や蓄光顔料などが挙げられる。また染料としては、特に油溶性染料を好適に用いることができ、例えばフタロシアニン系染料、ピラゾロン系染料、ニグロシン系染料、アントラキノン系染料、アゾ系染料など公知のものが挙げられる。着色材の配合量は、固形描画材全量に対し１〜５０重量％が好ましい。なお顔料の平均粒径は任意であるが、好ましくは消去性がより良好になるという点で５〜３０μｍの範囲が好適である。
【００１４】
上記成分以外に、体質材を添加してもよい。具体的にはタルク、クレー、シリカ、炭酸カルシウム、硫酸バリウム、アルミナ、マイカ、チタン酸カリウム、ガラスフレーク、コーンスターチ、でんぷん、窒化硼素などが挙げられ、特にタルク、窒化硼素が好適である。また、成分どうしの相溶化のために非イオン性、陽イオン性、陰イオン性などの界面活性剤を添加してもよい。この他、必要に応じて粘度調整剤、防かび剤、抗菌剤、香料などを添加してもよい。
【００１５】
本発明の固形描画材の製造方法として、形成材および脂肪酸の誘導体とポリオキシプロピレン誘導体とを混合して加熱溶解し、つづいて着色材と必要に応じて体質材を加えて、さらに溶解し、所定の型内に充填、冷却・固化させ、型内より取り出して円柱状の固形描画材とする。次に、本発明の実施例を述べる。なお、「部」は「重量部」である。
【実施例１】
【００１６】
カルナバワックス                              ３０部
ステアリン酸アミド                            ２５部
ポリプロピレングリコール（分子量１０００）    １５部
着色材（有機蛍光顔料…ピンク色）              １０部
体質材（タルク）                              ２０部
上記材料を用い、まず着色材、体質材以外の材料を混合して、８５℃に加熱溶解したのち、着色材と体質材を加えてさらに溶解し、所定の型内に流し込み、冷却・固化して外径８ｍｍφ、長さ６０ｍｍの蛍光ピンク色の固形描画材を得た。この固形描画材は、紙面上において描画性、消去性が良好であり、しかも描画後１週間経過しても消しゴムによる消去性は変わらない。
【００１７】
（比較例１）
カルナバワックス３７部、ステアリン酸アミド３３部、有機蛍光顔料（ピンク色）１０部、タルク２０部を用いて実施例１と同様の方法にて蛍光ピンク色の固形描画材を得た。この固形描画材で描画された画線の消去性は、当初から十分なものではなく、１週間経過したあとには消去不能となった。
【産業上の利用可能性】
【００１８】
描画したあと、消去性が良好で、しかも長期間経過してもその消去性は変わらないため、例えばマーカーなどに使用した場合、重要個所をマークしたあと、あとになってその個所を消去したり、変更したりする時に十分適用できる。